(57)【要約】      （修正有）【課題】巻線型トランスの小型化と電源装置の小型化及び効率化を図る。【解決手段】ボビン３の中央部に一次巻線３５を装着し、この一次巻線３５の両端を絶縁耐圧用のパーティションに設けた溝３７，４７を通して、ボビン３の両端の端子台１９，２１に設けた、一次入力端子２３，３３にそれぞれ接続する。この一次巻線３５の両側にパーティションを介して第１と第２の二次巻線３９，４１を装着する。第１の二次巻線３９の一次巻線３５と接する側の巻線の端部側のリード線３５ａと、第２の二次巻線４１の一次巻線３５と接する側の巻線の端部側のリード線４１ａとを、パーティションの溝３７，４７に、一次巻線３５のリード線３５ａ，３５ａと平行に導いて、端子台１９，２１のグランド端子２５，３１にそれぞれ接続する。一次側巻線３５には、一次共振電圧のフィードバック信号に基づいて自励発振回路が接続される。【選択図】図１
2004207342.tif 000002
【特許請求の範囲】
【請求項１】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記パーティションに形成した溝を通して平行に前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記パーティションに形成した溝を通して平行に前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したことを特徴とする巻線トランス。
【請求項２】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記第１の二次巻線の一端のリード線を二次高圧端子に接続し、前記一次巻線の一端のリード線と前記第１の二次巻線の前記一次巻線と接する側の巻線の端部のリード線とをそれぞれ対応する一次入力端子とグランド端子に接続し、前記第２の二次巻線の一端のリード線を二次高圧端子に接続し、前記一次巻線の他端のリード線と前記第２の二次巻線の前記一次巻線と接する側の巻線の端部のリード線とをそれぞれ対応する一次入力端子とグランド端子に接続し、前記ボビンにコアを装備し、一次側巻線とその両側の二次巻線とで１入力２出力を構成し、前記一次巻線に共振コンデンサを接続して一次側共振回路を設け、前記一次巻線に、一次側共振電圧のフィードバック信号に基づいて自励発振する自励発振回路を接続し、第１の蛍光ランプの一方の電極を前記第１の二次巻線の二次高圧出力端子に接続し、第１の蛍光ランプに直列に第２の蛍光ランプを接続し、該第２の蛍光ランプを前記第２の二次巻線の二次高圧出力端子に接続したことを特徴とする電源装置。
【請求項３】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記パーティションに形成した溝を通して平行に前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記パーティションに形成した溝を通して平行に前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成し、前記一次巻線に共振コンデンサを接続して一次側共振回路を設け、前記一次巻線に、一次側共振電圧のフィードバック信号に基づいて自励発振する自励発振回路を接続したことを特徴とする電源装置。
【請求項４】
前記二次巻線のグランド端子を抵抗素子を介して接地し、この抵抗素子に発生する電圧によって出力側を流れる電流を検出するようにしたことを特徴とする「請求項２」又は「請求項３」に記載の電源装置。
【請求項５】
第１の蛍光ランプの一方の電極を前記第１の二次巻線の二次高圧出力端子に接続し、第１の蛍光ランプに直列に第２の蛍光ランプを接続し、該第２の蛍光ランプを前記第２の二次巻線の二次高圧出力端子に接続したことを特徴とする「請求項３」に記載の電源装置。
【発明の詳細な説明】
【０００１】
【発明の属する技術分野】
本発明は、冷陰極型蛍光ランプなどを駆動するインバータ等に用いられる巻線型トランス及びこのトランスを用いた電源装置に関する。
【０００２】
【従来の技術】
従来、図６に示すように、冷陰極型蛍光ランプ４６を巻線型トランスの出力で駆動する場合には、巻線型トランスＴの二次側の巻線の高圧端子にコンデンサを介して蛍光ランプ４６の一方の電極を接続し、蛍光ランプ４６の他方の電極を抵抗を介してアースに接続している。また、４本の蛍光ランプを駆動する場合には、図７に示すように、蛍光ランプ４４，４６，４６，４６ごとに巻線型トランスＴ１，Ｔ２，Ｔ３，Ｔ４を用意し、２本の蛍光ランプ４６，４６を直列に接続し、この各一対の蛍光ランプの中、一方の蛍光ランプ４６，４６を対応する巻線トランスＴ１，Ｔ３の二次側高圧端子にバラストコンデンサを介して接続し、他方の蛍光ランプ４４，４４を対応する巻線トランスＴ２，Ｔ４の二次側高圧端子にバラストコンデンサを介して接続し、各巻線トランスＴ１，Ｔ２，Ｔ３，Ｔ４の二次側の他方の端子をアースに接続している。
【０００３】
【発明が解決しようとする課題】
蛍光ランプの一方の電極を巻線型トランスの二次側高圧端子に接続し、他方の電極をアースに落として蛍光ランプを駆動する方式は、蛍光ランプの両端において電位差が生じ、トランス接続側が明るく、アース側が暗くなり、輝度にムラが生じてしまうという問題点がある。２本の蛍光ランプを直列に接続し、２個の巻線型トランスで２本の蛍光ランプを駆動する方式は、２本の蛍光ランプの両端に高圧がかかり、明るさのムラの発生を解消することができるが蛍光ランプごとに巻線トランスが必要となってしまい、巻線トランスの小型化に適しないという問題点がある。
本発明は上記問題点を解決することを目的とするものである。
【０００４】
【課題を解決するための手段】
上記目的を達成するため本発明は、ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記パーティションに形成した溝を通して平行に前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記パーティションに形成した溝を通して平行に前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したものである。
また本発明は、ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記第１の二次巻線の一端のリード線を二次高圧端子に接続し、前記一次巻線の一端のリード線と前記第１の二次巻線の前記一次巻線と接する側の巻線の端部のリード線とをそれぞれ対応する一次入力端子とグランド端子に接続し、前記第２の二次巻線の一端のリード線を二次高圧端子に接続し、前記一次巻線の他端のリード線と前記第２の二次巻線の前記一次巻線と接する側の巻線の端部のリード線とをそれぞれ対応する一次入力端子とグランド端子に接続し、前記ボビンにコアを装備し、一次側巻線とその両側の二次巻線とで１入力２出力を構成し、前記一次巻線に共振コンデンサを接続して一次側共振回路を設け、前記一次巻線に、一次側共振電圧のフィードバック信号に基づいて自励発振する自励発振回路を接続し、第１の蛍光ランプの一方の電極を前記第１の二次巻線の二次高圧出力端子に接続し、第１の蛍光ランプに直列に第２の蛍光ランプを接続し、該第２の蛍光ランプを前記第２の二次巻線の二次高圧出力端子に接続したものである。
また本発明は、ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記パーティションに形成した溝を通して平行に前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記パーティションに形成した溝を通して平行に前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成し、前記一次巻線に共振コンデンサを接続して一次側共振回路を設け、前記一次巻線に、一次側共振電圧のフィードバック信号に基づいて自励発振する自励発振回路を接続したものである。
また本発明は、前記二次巻線のグランド端子を抵抗素子を介して接地し、この抵抗素子に発生する電圧によって出力側を流れる電流を検出するようにしたものである。
【０００５】
【発明の実施の形態】
以下に本発明の実施の形態を添付した図面を参照して詳細に説明する。
図１及び図２において、３は巻線型トランス４４のボビンであり、角筒部３ｃの両端に鍔部３ａ，３ｂが形成されている。前記ボビン３の角筒部３ｃには所定の間隔を存して四角形の絶縁耐圧用の板状のパーティション５，７，９，１１，１３，１５が複数固設され、鍔部３ａ，３ｂと角筒部３ｃとパーティション５，７，９，１１，１３，１５とで、巻線用の凹入部を形成している。前記鍔部３ａ，３ｂには端子用の端子台１９，２１が固設され、これに端子２３，２５，２７，２９，３１，３３が固着されている。
【０００６】
ボビン３の一端側の端子台１９には、その一方側に二次高圧端子２７が配置され、その他方側に、一次入力端子２３とグランド端子２５が配置されている。一次入力端子２３とグランド端子２５は、二次高圧端子２７の高電圧の影響を受けないように、できるだけ離して、端子台１９の他方側に配置されている。ボビン３の他端側の端子台２１には、その一方側に二次高圧端子２９が配置され、これからできるだけ離れた他方側に一次入力端子３３とグランド端子３１が配置されている。前記パーティション５，７，９，１１，１３，１５の外縁にはボビン３の中央部から巻線のリード線を前記一次入力端子２３とグランド端子２５及び一次入力端子３３とグランド端子３１に導く溝４７，３７が形成されている。
【０００７】
ボビン３の中央の凹入部には、一端側Ａを巻始めとして、一次巻線３５が例えば右巻きで巻回される。一次巻線３５の巻始め端側Ａのリード線３５ａはパーティション９，７，５及び鍔部３ａの外縁部に形成された溝４７を通って、ボビン３の一端側に導かれ、一次側入力端子２３に接続している。一次巻線３５の終端側のリード線３５ａは、パーティション１１，１３，１５及び鍔部３ｂの外縁部に形成された溝４７を通ってボビン３の他端側に導かれ、一次側入力端子３３に接続している。ボビン３の一次巻線３５の一方側には、ボビン３の一端側Ｂを巻始めとして、第１の二次巻線３９が右巻きで、鍔部３ａ、パーティション５間、パーティション５，７間、パーティション７，９間の各凹入部に順次巻回される。
【０００８】
二次巻線３９の中間を複数のパーティション５，７によって区画したのは、二次巻線３９の絶縁耐圧を考慮したものである。第１の二次巻線３９の巻始め端側Ｂのリード線は、鍔部３ａの溝を通って、二次高圧端子２７に接続している。第１の二次巻線３９の終端側Ｃのリード線３９ａは、３本屈折させてよじって太くし、一次巻線３５のリード線３５ａと平行してパーティション９，７，５及び鍔部３ａの溝４７を通って、ボビン３の一端側に導かれ、グランド端子２５に接続している。ボビン３の中央の一次巻線３５の他方側には、パーティション１１と接する側Ｄを巻始めとして、第２の二次巻線４１が右巻きで、パーティション１１，１３間、パーティション１３，１５間、パーティション１５、鍔部３ｂ間の各凹入部に順次巻回される。
【０００９】
一次巻線３５の左右に対称に配置された第１と第２の二次巻線３９，４１は同一の構造である。第２の二次巻線４１の巻始め端側Ｄのリード線４１ａは、３本に折り曲げられよじって太くした状態で図２に示すように、一次巻線３５のリード線３５ａと平行に、パーティション１１，１３，１５及び鍔部３ｂの溝３７を通って、ボビン３の他端側に導かれ、グランド端子３１に接続している。第２の二次巻線４１の終端側リード線は、鍔部３ｂの他端側Ｅの溝に導かれ、二次高圧端子２９に接続している。以上の巻線構造から明らかなように、パーティション９，１１間の一次側巻線３５の両端は二次巻線３９，４１の電圧の低いグランド側と接することになり、隣接する一次巻線３５の電圧と二次巻線３９，４１ｋ電圧との差が小さくなる。
【００１０】
そのため、一次巻線３５と二次巻線３９，４１との間の絶縁耐圧構造を簡単な構造とすることができる。一次巻線３５と、二次巻線３９，４１のグランド側は、電位差が小さいので、共通の溝３７，４７を通して、両者を平行に配置しても絶縁耐圧に問題はなく、各パーティションの限られたスペースに一次巻線のリード線と二次巻線のリード線用の溝をそれぞれ別個に設ける必要がないのでパーティションの加工及び構造を簡単にすることができ、トランスの小型化とコストダウンを図ることができる。４３はコアであり、ボビン３の外側とボビン３の筒部３ｃ内に配置されている。上記した巻線トランス４４は、図４に示すように、１入力２出力を構成し、このトランスを用いて２本の冷陰極蛍光ランプ４６，４６を明るさに明暗のムラのない状態で駆動することができる。図４において、２本のランプ４６，４６は、両端が二次巻線３９，４０の高圧側に接続されるので、ランプ４６，４６の両端に明るさの差が生じることがない。
【００１１】
上記した１入力２出力巻線トランス４４は、このトランスの一次側で直列あるいは並列共振回路を構成し、トランスの一次側に共振電圧を発生させる自励発振回路により駆動されることが望ましい。一次側に電源電圧より高い高電圧が発生することにより、二次側の巻線の量を少なくでき、結果として、従来の１入力１出力の巻線トランスと同じ大きさで２出力を実現することができる。また、１入力２出力巻線トランスは、トランスの中央部に一次コイルとコアによる発熱が集中するが、この発熱はトランスの中央部に発生するので、二次巻線との結合のバランスが良好な状態に保持され、トランスが効率的に動作する。従来の１入力１出力の巻線トランスのように、発熱がトランスの片側に集中すると、一次巻線と二次巻線との結合にアンバランスが生じ効率化の妨げとなる。
【００１２】
次にトランスの一次側に共振電圧を発生させる自励発振回路を用いた電源装置を図５を参照して説明する。
図５中、５１は位相検出回路であり、コンデンサ（Ｃ３）が接続するリード線２７を介して巻線トランス４４の一次側の一端に接続している。５２，５４，５６，５８はＦＥＴから成るスイッチング素子であり、各々のスイッチング素子のソース、ドレイン間には転流ダイオード６０，６２，６４，６６が接続されている。スイッチング素子５２，５４，５６，５８の各々のゲートにはゲート制御回路６８，７０，７２，７４が接続され、これらのうち、ゲート制御回路６８，７２はＰＷＭ制御回路７６に接続し、ゲート制御回路７０，７４はロジック回路７８に接続している。ＰＷＭ制御回路７６は、ランプ４６，４６に流れる電流を検出する整流平滑回路８０から信号を受け取り、この信号のレベルがライン８２から与えられる設定値になるように、スイッチング素子５２，５６の導通角を制御する。
【００１３】
ロジック回路７８は、リード線２７に接続する位相検出回路５１からのトランス４４の一次側直列共振位相差信号に基づいて、スイッチング素子をオンオフさせるための信号を造出し、ＰＷＭ制御回路７６を介してゲート制御回路６８，７２にオンオフ制御信号を送るとともに、ゲート制御回路７０，７４にオンオフ制御信号を送るように構成されている。また、ロジック回路７８は、調光信号が入力される調光制御回路８４の出力信号に基づいて、調光制御信号を造出し、この調光制御信号によってスイッチング素子オンオフのバースト制御とＰＷＭ制御回路７６のスイッチオンパルス幅を制御し、ランプ４６，４６の明るさを一定に保つことと、調光信号に基づき、輝度ゼロから１００％まで任意の値に設定し得るように構成されている。また、ロジック回路７８には過電流検出回路８６が接続し、ランプ４６，４６に過電流が流れたとき、ロジック回路７８は、これを検出し、過電流を阻止する信号をＰＷＭ制御回路７６に送り過電流を防止するように構成されている。
【００１４】
起動補償回路８８は、ランプ４６，４６の通電回路に接続し、抵抗４８に接続する線からランプ４６，４６の電流信号が入力されるように構成されている。起動補償回路８８は、電源オンオフ時、自励発振回路が確実に起動するように、起動補償信号を位相検出回路５１に入力する。位相検出回路５１は、この起動補償信号を受けて、ロジック回路７８に自励発振のための起動信号を出力する。起動補償回路８８は、位相検出回路５１から位相補正された信号がロジック回路７８に入ってトランス一次側に電流がロジックで決められた方向に流れても、ランプ４６，４６が放電を開始しない事がある。起動補償回路８８は、このような場合の起動補償のために設けられている。この場合、確実にランプ４６，４６を点灯させるために、起動補償回路８８は、ランプ４６，４６を流れる電流を検出してランプ４６，４６が点灯したか否か判断し、点灯していない時は、点灯するまで起動補償信号を位相検出回路５１に送り出す。位相検出回路５１はこの起動補償信号を受けてランプ４６，４６が点灯するまで起動信号ロジック回路７８に起動信号を出力する。
【００１５】
また、調光動作では、トランス４４の一次側共振周波数よりも低い周波数で、ＯＮ幅をＰＷＭ制御されたバースト信号で、全体のロジック信号をＯＮ−ＯＦＦさせ、結果的に明るさを制御している。この方法は、消灯から全点灯まで自由に調整が可能であるが、ランプ４６，４６はこの調光信号の周期でＯＮ−ＯＦＦされているため、その周期ごとに起動確認と確実な起動が必要となる。そのため、起動補償回路８８は、上記のごとく、確実な点灯を実現するために、はじめに起動補償信号を位相検出回路５１に送り出している。起動補償の動作について説明すると、始めて電源を入れる時や、ランプが点灯していない時、例えば、電流がＩ１の方向に流れる様にスイッチング素子５２と５８とを決められたパルス幅でＯＮにする。これにより直列共振回路を構成するコンデンサ（Ｃ１）とトランス４４の一次巻線３５に電流が流れ、位相検出回路５１にリード線２７を通じて信号が入り、Ｉ２，Ｉ１，Ｉ２，Ｉ１と交互に電流が流れ、検出した一次共振周波数で発振を開始する。
【００１６】
起動補償回路８８は、ロジック回路７８の初期リセット（起動時）も作っている。もしランプ４６，４６が点灯しなかった場合は、再度リセットし、始めの起動信号を位相検出回路５１を通じてロジック回路７８に対し送出する。ランプオープン・ショート検出回路９０は、巻線型トランス４４の二次側に接続し、二次側の電圧及び電流を検出する。ランプ４６，４６が点灯していないか又はランプ４６，４６が取り付けられていない状態即ちランプオープンやランプの配線等がショートした状態即ちランプショートのとき、位相検出回路５１を通じてロジック回路７８に信号を送り、ロジック回路７８、ＰＷＭ制御回路７６及びゲート制御回路６８，７０，７２，７４から成る制御回路を遮断するように構成されている。過電流検出回路８６は、ＰＷＭ制御回路７６が不良であったり、又は、ランプ４６，４６の配線がショートした時等において、ロジック回路７８に信号を送り、制御回路を遮断する。
【００１７】
尚、図５において、位相検出回路５１及びロジック回路７８は、位相検出手段の単一の出力信号を互いに逆位相の２つの位相信号に変換し前記スイッチング素子５２，５４，５６，５８をオンオフ制御する駆動信号として出力する制御回路を構成している。また、スイッチング素子５２，５４，５６，５８及びゲート制御回路６８，７０，７２，７４は、巻線型トランスの入力側一次巻線に誘起された一次側共振電圧のフィードバック信号に基づいてスイッチング素子がオンオフしこのオンオフによって直流電源の巻線型トランスへの通電方向を正逆方向に変換して巻線型トランスの入力側一次巻線に交流信号として入力するドライブ回路を構成している。
【００１８】
上記した構成において、電源スイッチがオンとなり、ゲート制御回路６８，７４又は７２，７０のいずれかにＰＷＭ制御回路７６及びロジック回路７８からオン信号が瞬間的に供給されると、直流電源がスイッチング素子５２，５８を通じて、Ｉ１の方向に、あるいは、スイッチング素子５６，５４を通じて、Ｉ２の方向に、巻線型トランス４４の一次側巻線に電流が流れる。これにより、自励発振回路が起動し、巻線型トランス４４が共振電圧を発生する。巻線型トランス４４の一次側の共振電圧の周波数は、リード線２７により、位相検出回路５１に供給される。ロジック回路７８とＰＷＭ制御回路７６は、位相検出回路５１からの位相信号に基づいて、ゲート制御回路６８，７０，７２，７４を駆動し、スイッチング素子５２，５４，５６，５８をオンオフ制御する。スイッチング素子５２，５４，５６，５８のオンオフによって電流は、Ｉ１とＩ２の方向に交互に流れ、自励発振回路は、巻線型トランス４４の一次側共振周波数で自励発振する。尚、本発明は、一次側直列共振を利用した自励発振回路に特に限定されるものではなく、一次側に並列共振を利用したロイヤー方式の自励発振回路を使用することができる。
【００１９】
【発明の効果】
本発明は上述の如く１個のトランスで１入力２出力を実現することができ、冷陰極蛍光ランプ等の負荷を効率的に駆動することができる。
【図面の簡単な説明】
【図１】本発明の巻線トランスの説明的平面図である。
【図２】パーティションの溝を示す拡大断面図である。
【図３】本発明の巻線トランスの説明図である。
【図４】本発明の巻線トランスの回路説明図である。
【図５】電源装置の実施形態を示すブロック回路図である。
【図６】従来技術の説明図である。
【図７】従来技術の説明図である。
【符号の説明】
３      ボビン
５      パーティション
７      パーティション
９      パーティション
１１    パーティション
１３    パーティション
１５    パーティション
１９    端子台
２１    端子台
２３    端子
２５    端子
２７    端子
２９    端子
３１    端子
３３    端子
３５    一次巻線
３７    溝
４７    溝
３９    二次巻線
４１    二次巻線
４３    コア
４４    巻線トランス
４６    冷陰極型蛍光ランプ
４８    抵抗
５０    誤動作防止回路
５１    位相差造出回路
５２〜５８  スイッチング素子
６２〜６６  転流ダイオード
６８    ゲート制御回路
７０    ゲート制御回路
７２    ゲート制御回路
７４    ゲート制御回路
７６    ＰＷＭ制御回路
７８    ロジック回路
８０    整流制御回路
８２    ライン
８４    調光制御回路
８６    過電流検出回路
８８    起動補償回路
９０    ランプオープン・ショート検出回路
【図１】
2004207342.tif 000003
【図２】
2004207342.tif 000004
【図３】
2004207342.tif 000005
【図４】
2004207342.tif 000006
【図５】
2004207342.tif 000007
【図６】
2004207342.tif 000008
【図７】
2004207342.tif 000009
【手続補正書】
【提出日】平成15年4月16日(2003.4.16)
【手続補正１】
【補正対象書類名】明細書
【補正対象項目名】特許請求の範囲
【補正方法】変更
【補正の内容】
【特許請求の範囲】
【請求項１】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台の一方側に二次高圧端子を設けそれぞれの端子台の他方側に前記二次高圧端子に対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したことを特徴とする巻線トランス。
【請求項２】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記パーティションに形成した溝を通して平行に前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記パーティションに形成した溝を通して平行に前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したことを特徴とする巻線トランス。
【請求項３】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記第１の二次巻線の一端のリード線を二次高圧端子に接続し、前記一次巻線の一端のリード線と前記第１の二次巻線の前記一次巻線と接する側の巻線の端部のリード線とをそれぞれ対応する一次入力端子とグランド端子に接続し、前記第２の二次巻線の一端のリード線を二次高圧端子に接続し、前記一次巻線の他端のリード線と前記第２の二次巻線の前記一次巻線と接する側の巻線の端部のリード線とをそれぞれ対応する一次入力端子とグランド端子に接続し、前記ボビンにコアを装備し、一次側巻線とその両側の二次巻線とで１入力２出力を構成し、前記一次巻線に共振コンデンサを接続して一次側共振回路を設け、前記一次巻線に、一次側共振電圧のフィードバック信号に基づいて自励発振する自励発振回路を接続し、第１の蛍光ランプの一方の電極を前記第１の二次巻線の二次高圧出力端子に接続し、第１の蛍光ランプに直列に第２の蛍光ランプを接続し、該第２の蛍光ランプを前記第２の二次巻線の二次高圧出力端子に接続したことを特徴とする電源装置。
【請求項４】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記パーティションに形成した溝を通して平行に前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記パーティションに形成した溝を通して平行に前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成し、前記一次巻線に共振コンデンサを接続して一次側共振回路を設け、前記一次巻線に、一次側共振電圧のフィードバック信号に基づいて自励発振する自励発振回路を接続したことを特徴とする電源装置。
【請求項５】
前記二次巻線のグランド端子を抵抗素子を介して接地し、この抵抗素子に発生する電圧によって出力側を流れる電流を検出するようにしたことを特徴とする「請求項２」乃至「請求項４」のいずれか１つに記載の電源装置。
【請求項６】
第１の蛍光ランプの一方の電極を前記第１の二次巻線の二次高圧出力端子に接続し、第１の蛍光ランプに直列に第２の蛍光ランプを接続し、該第２の蛍光ランプを前記第２の二次巻線の二次高圧出力端子に接続したことを特徴とする「請求項４」に記載の電源装置。
【手続補正書】
【提出日】平成15年4月17日(2003.4.17)
【手続補正１】
【補正対象書類名】明細書
【補正対象項目名】請求項１
【補正方法】変更
【補正の内容】
【請求項１】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したことを特徴とする巻線トランス。